(57)【要約】【課題】小型サイズのディスクに加えて通常サイズのディスクにも対応する装置では、記録または再生装置の筐体の大きさを通常サイズのディスク以上にする必要があるため、小型ディスクを使用する場合にも筐体が大きく、小型ディスクを利用するメリットが無くなってしまうという課題があった。【解決手段】８cm径カートリッジ２２を記録装置に装着する場合は、カートリッジ挿入部より右側からカートリッジを挿入し、カートリッジのほぼ全ての部分が筐体内に入る。１２cm径カートリッジ２４を記録装置に装着する場合は、８cm径カートリッジの場合と同様に挿入されるが、筐体２３のようにカートリッジの周辺部がはみ出るような形態で装着される。このような形態で装着されることによって、装置の筐体の大きさは８cm径のディスクに合わせたコンパクトな形状であるにもかかわらず、１２cm径のディスクも利用することが可能になる。【選択図】図２
2005149631.tif 000002
【特許請求の範囲】
【請求項１】
複数サイズのディスクを記録及び／または再生可能なディスク装置であって、
前記複数サイズのディスクのうち少なくとも最大サイズのディスクを使用する際には、前記最大サイズのディスクを格納するカートリッジの一部が当該ディスク装置の筐体からはみ出た状態のまま利用可能なことを特徴とするディスク装置。
【請求項２】
前記筐体にスリット上の隙間を設け、その隙間にディスクを格納したカートリッジを挿入するようにして装着することを特徴とする請求項１記載のディスク装置。
【請求項３】
前記筐体の表面と裏面を上下に開いてそこにカートリッジを置き、そのカートリッジを挟み込むように筐体の表面と裏面を閉じて装着することを特徴とする請求項１記載のディスク装置。
【請求項４】
複数サイズのディスクを記録及び／または再生可能なディスク装置であって、
前記ディスクを回転させる回転軸の位置をディスクのサイズによって筐体内で移動させることを特徴とするディスク装置。
【請求項５】
まず回転軸をディスクの挿入される側に置き、ディスク挿入時にディスクの中心部を検出して、その位置が初期の回転軸の位置にほぼ一致した時点でディスクの中心部と回転軸を密着し、その後ディスクの挿入に従って回転軸も連動して移動することを特徴とする請求項２記載のディスク装置。
【請求項６】
複数サイズのディスクを記録及び／または再生可能なディスク装置であって、
当該ディスク装置の筐体およびディスク用ヘッドの移動部分がディスク挿入方向に対して延長可能な構造であることを特徴とするディスク装置。
【請求項７】
記録及び/または再生可能なディスク装置と接続して使用される、ディスクを格納可能なカートリッジであって、
前記ディスク装置の筐体と接続する際に、その接続部分において、当該カートリッジを前記筐体にはさむように接続し、
当該カートリッジの表面と当該カートリッジをその表面側からはさみこむ前記筐体のカートリッジと接する部分、および当該カートリッジの裏面と当該カートリッジをその裏面側からはさみこむ前記筐体の当該カートリッジと接する部分が、当該カートリッジ接続時にそれぞれの溝がかみ合う構造であることを特徴とするカートリッジ。
【請求項８】
記録及び/または再生可能なディスク装置であって、
ディスクをカートリッジに格納し、当該ディスク装置の筐体と接続する際に、その接続部分において、前記カートリッジが前記筐体にはさまれるように接続され、
前記カートリッジの表面と前記カートリッジをその表面側からはさみこむ前記筐体のカートリッジと接する部分、および前記カートリッジの裏面と前記カートリッジをその裏面側からはさみこむ前記筐体のカートリッジと接する部分が、前記カートリッジ接続時に互いの溝がかみ合う構造であることを特徴とするディスク装置。
【請求項９】
複数のサイズのディスクを格納するそれぞれのサイズに対応する複数種類のカートリッジが存在し、これら複数種類のカートリッジとディスク装置の筐体を接続する際に、その接続部分の形状が前記複数種類のカートリッジで略等しいことを特徴とするカートリッジ。
【請求項１０】
大きいサイズのカートリッジの筐体に挿入される側の端の幅が小さいサイズのカートリッジとほぼ同じ幅であることを特徴とする請求項９記載のカートリッジ。
【請求項１１】
光ディスクとハードディスク、ディスクと固体メモリカード等の性質の異なる複数の記録媒体を用いることを特徴とする請求項１，請求項４、請求項６、請求項８のいずれかに記載のディスク装置。
【請求項１２】
光ディスクとハードディスク、ディスクと固体メモリカード等の性質の異なる複数の記録媒体を用いることを特徴とする請求項７または請求項９記載のカートリッジ。
【発明の詳細な説明】
【技術分野】
【０００１】
本発明はカートリッジに入ったディスク等に動画や音声、その他データを記録または再生するディスク装置およびそのためのカートリッジに関する。
【背景技術】
【０００２】
ＣＤやＤＶＤ等は、半径１２cmの通常サイズのディスクと半径８cmの小型サイズのディスクの２種類のサイズが用意されている。ここでモバイル用ＡＶ機器では、その筐体を小さくするためには、小型サイズのディスクに対応することが望ましい。
【０００３】
一方、広く普及している市販の記録済みディスクを利用したい場合や、より長時間記録または再生を実現するためには、通常サイズのディスクに対応することが望ましい。
【特許文献１】特開２００３−１３２６５０号公報
【発明の開示】
【発明が解決しようとする課題】
【０００４】
しかしながら、小型サイズのディスクに加えて通常サイズのディスクにも対応するためには、記録または再生装置の筐体の大きさを通常サイズのディスク以上にする必要があるため、小型ディスクを使用する場合にも筐体が大きく、小型ディスクを利用するメリットが無くなってしまうという課題があった。
【０００５】
本発明はこのようなディスク記録装置または再生装置における課題を解決することを目的とする。
【課題を解決するための手段】
【０００６】
第１の本発明は、複数のサイズのディスクに対応可能な記録または再生装置であって、少なくとも最大サイズのディスクを使用する際には、前記最大サイズのディスクを格納するカートリッジの一部が前記記録または再生装置の筐体からはみ出た形態のまま利用することを特徴とするディスク記録装置または再生装置である。
【０００７】
第２の本発明は、複数のサイズのディスクに対応可能な記録または再生装置であって、前記記録または再生装置のディスクを回転させる回転軸の位置が利用するディスクのサイズによって筐体内で移動可能なことを特徴とするディスク記録装置または再生装置である。
【０００８】
第３の本発明は、複数のサイズのディスクに対応可能な記録または再生装置であって、前記記録または再生装置の筐体およびディスク用ヘッドの移動部分がディスク挿入方向に対して延長可能な構造であることを特徴とするディスク記録装置または再生装置である。
【０００９】
第４の本発明は、ディスクをカートリッジに格納し、前記カートリッジと記録または再生装置の筐体を接続する際に、その接続部分において、前記カートリッジが前記筐体にはさまれるように接続され、しかも前記カートリッジの表面と前記カートリッジをその表面側からはさみこむ前記筐体のカートリッジと接する部分、および前記カートリッジの裏面と前記カートリッジをその裏面側からはさみこむ前記筐体のカートリッジと接する部分が、カートリッジ接続時にそれぞれの溝がかみ合う構造であることを特徴とするディスク記録装置または再生装置およびカートリッジである。
【００１０】
第５の本発明は、複数のサイズのディスクを格納するそれぞれのサイズに対応する複数種類のカートリッジが存在し、これら複数種類のカートリッジと記録または再生装置の筐体を接続する際に、その接続部分の形状が前記複数種類のカートリッジでほぼ等しいことを特徴とするカートリッジである。
【発明の効果】
【００１１】
第１の本発明では、大きなサイズのディスクに対応する記録または再生装置であっても、ディスクカートリッジが装置の筐体からはみ出す形態であるため、装置の大きさは必ずしも大きなディスクのサイズに制限されない。このため小さなサイズのディスクに最適化したより小さい筐体の装置であっても大きなディスクを利用することが可能となる。
【００１２】
次に、大きさの異なるディスクでは、ディスクの端からディスクの中心までの距離が異なる。このため大きいディスクを再生可能にする装置の筐体に小さいディスクを挿入した場合には、大きなディスクが回転できる範囲のスペースが利用できず無駄な空間となり、結果として筐体を小さくできない。
【００１３】
このため第２の本発明では、ディスクのサイズを検出してディスクを回転させる回転軸の位置を移動させる。これによって小さいディスク挿入時にも上記のような無駄な空間を設ける必要がなくなるため、より筐体の大きさを小さくできる。
【００１４】
また第３の本発明では、ディスクを挿入時に大きなディスクの場合には、筐体を挿入方向に延長する。これによって小さいディスク挿入時にも上記のような無駄な空間を設ける必要がなくなるため、より筐体の大きさを小さくできる。
【００１５】
大きなディスクを挿入したときにそのカートリッジが筐体からはみ出る構造である場合には、筐体におけるカートリッジを挟み込む部分の殆どが、開放された形状になるため、強度が弱くなってしまう。そこで第４の本発明では、カートリッジの表面および裏面に対してカートリッジ挿入方向に溝を設ける。同時に装置の筐体においてカートリッジの表面および裏面に接する部分に対して、カートリッジに設けた溝とかみ合う構造の溝を設け、カートリッジをこれらの溝がかみ合うように筐体に挿入する。これによって、これらの溝を介して、筐体の表面、カートリッジ、筐体の裏面がしっかりと固定されるため、筐体の強度を強くすることが可能になる。
【００１６】
第５の本発明では、複数のサイズのディスクを格納するそれぞれのサイズに対応する複数種類のカートリッジが存在する際に、これら複数種類のカートリッジと記録または再生装置の筐体を接続する部分の形状をほぼ等しくすることにより、どのサイズのカートリッジであっても同じ方法で装置に接続することが可能になる。
【発明を実施するための最良の形態】
【００１７】
以下に本発明の実施例を図面を参照しながら説明する。
【実施例１】
【００１８】
図１は本発明の実施例のディスク記録装置の説明図である。図１において、１は本記録装置の筐体、２はディスクが格納されたカートリッジが挿入されるカートリッジ挿入部、３は液晶パネルである。
【００１９】
本発明のディスク記録または再生装置は、図１の筐体１の左側にあるカートリッジ挿入部２からディスクを格納したカートリッジを挿入して利用する。ディスクから再生されたデータは例えばビデオデータに変換されて液晶パネル３で表示される。
【００２０】
次に図２を用いて本発明の説明を行う。図２の２１、２３は図１の記録装置の筐体にディスクを格納したカートリッジを装着した図であり、２２は８cm径のディスクを格納したカートリッジ、２４は１２cm径のディスクを格納したカートリッジである。
【００２１】
まず８cm径カートリッジ２２を記録装置に装着する場合は、図１のカートリッジ挿入部２より右側からカートリッジを挿入し、カートリッジのほぼ全ての部分が筐体内に入る（筐体２１）。次に１２cm径カートリッジ２４を記録装置に装着する場合は、８cm径カートリッジの場合と同様に挿入されるが、図２の筐体２３のようにカートリッジの周辺部がはみ出るような形態で装着される。
【００２２】
このような形態で装着されることによって、装置の筐体の大きさは８cm径のディスクに合わせたコンパクトな形状であるにもかかわらず、１２cm径のディスクも利用することが可能になる。また図２の実施例ではディスクを筐体の隙間に差し込むようにして装着しているが、筐体の表面と裏面を上下に開いてそこにカートリッジを置き、そのカートリッジを挟み込むように筐体の表面と裏面を閉じて装着する等色々な装着方法が可能である。
【００２３】
次に図３を用いて本発明のディスク装着時のディスク回転軸位置について説明する。図３の３１、３４は記録装置の筐体の内部の様子、３２、３５はディスクを回転させる回転軸の位置、３３は８cm径ディスクが装着された場合の占有位置、３６は１２cm径ディスクが装着された場合の占有位置である。
【００２４】
図３の筐体３１では、８cm径のディスク３３が装着された場合にはディスクのほぼ全ての部分が筐体内に収まる。この場合の回転軸３２の位置は筐体３１の中心近くに位置する。これに対して１２cm径のディスク３６が装着された場合にはディスクの一部の周辺が筐体３４から大きくはみ出す。この場合の回転軸３５は筐体３４の左側に位置することになる。このように本発明では、筐体内のディスクの回転軸の位置をディスクの径によって移動することによって、筐体の大きさをより小さくすることが可能になる。
また筐体内の回転軸の位置の決め方については様々な方法を適用可能である。一例としては、まず回転軸を回転軸３５のように筐体の左側に設置し、ディスク挿入時にディスクの中心部を検出して、その位置が初期の回転軸の位置に一致した時点でディスクの中心部と回転軸を密着し、その後ディスクの挿入に従って回転軸も連動して移動する等がある。
【００２５】
図６は本発明のディスク記録または再生装置であり、ディスク装着時のディスク回転軸３２と光ヘッド３９を移動させるため回転軸支柱３８と光ヘッド支柱３７の内部機構を説明した透視図面である。なお、図６においては、光ヘッド支柱３７と独立に回転軸支柱３８を設けて、その支柱の上を回転機構が左右する構成としたが、光ヘッド支柱と回転軸支柱をひとつにまとめて構成しても良い。
【００２６】
次に図４を用いて本発明のディスク装着時の筐体を伸縮される実施例について説明する。図４の４１、４３は記録装置の筐体の形状、４２は８cm径ディスクが装着された場合の占有位置、４５は１２cm径ディスクが装着された場合の占有位置、４４は筐体の伸縮部である。
【００２７】
図４の筐体４１では、８cm径のディスク４２が装着された場合には筐体の大きさをよりコンパクトにする為に縮めた状態にしている。これに対して１２cm径のディスク３６が装着された場合には、筐体４３の伸縮部４４を伸ばすことによって、ディスクの回転軸から筐体４３の端までの距離を延長する。このようにディスクの大きさに従って、筐体の長さを伸縮することによって、小さいディスクを利用する場合の筐体の大きさをより小さくすることが可能になる。またこの伸縮はカートリッジ挿入時にカートリッジを挿入する力によって筐体を伸ばす等様々な方法が可能である。
【００２８】
次に図５を用いて本発明のディスク装着時におけるカートリッジと筐体の接合部の実施例について説明する。図５は筐体にカートリッジが装着された状態の断面図であり、５１は筐体の表面部分、５２は筐体の裏面部分、５３は８cm径カートリッジ、５４は１２cm径カートリッジである。
【００２９】
図５の筐体表面５１および筐体裏面５２は、それぞれカートリッジと接する部分の両端に突起のレール上の形状を設ける。図５は断面図でありこのような形状が、カートリッジが挿入される方向に連続するものである。これに対する８cm径カートリッジ５３および１２cm径カートリッジ５４については、上記筐体表面５１、筐体裏面５２に設けられた突起のレールとかみ合うような形状の突起が設けられている。そこでディスク挿入時にカートリッジの突起を上記の筐体の突起をかみ合わせることによって、カートリッジ、筐体表面５１、筐体裏面５２が緊密に接合されることになる。これによってカートリッジが筐体からはみ出すような形状でありながら十分な強度を確保することが可能になる。またカートリッジと筐体の接合構造については、本実施例以外にも様々な形態の適用が可能である。
【００３０】
最後に図２および図５を用いて、複数サイズのディスクに対応したそれぞれのカートリッジの形状について説明する。
【００３１】
まず図２の８cm径ディスクに対応するカートリッジ２２と１２cm径ディスクに対応するカートリッジ２４では、カートリッジ全体の大きさは異なるものの、筐体に挿入される部分の形状についは、挿入方向の長さは異なるもののほぼ同じ形状である。これによって大きさの異なるディスクであっても、同じ装置の筐体にスムーズに挿入することが可能になる。
【００３２】
また図５の８cm径ディスクに対応するカートリッジ５３と１２cm径ディスクに対応するカートリッジ５４では、筐体との接合部の形状をほぼ同一にすることによって、カートリッジの幅が異なるにもかかわらず、同じ装置の筐体にしっかりと装着することが可能になる。
【００３３】
なお、本発明は実施例で説明されたもの以外にも、光ディスクとハードディスク、光ディスクと固体メモリカード等性質の異なる複数種類の媒体を同一の筐体に装着する場合にも利用可能である。
【産業上の利用可能性】
【００３４】
本発明は同一の性質の異なるサイズのディスク媒体を同一の筐体に装着する場合、光ディスクとハードディスク、光ディスクと固体メモリカード等性質の異なる複数種類の媒体を同一の筐体に装着する場合にも利用可能であり、ビデオ、オーディオの他にもパソコン等様々な産業分野で利用可能である。
【図面の簡単な説明】
【００３５】
【図１】ディスク記録装置の説明図
【図２】８cm径カートリッジ装着の説明図と１２cm径カートリッジ装着の説明図
【図３】ディスク装着時の回転軸位置の説明図
【図４】ディスク装着時の筐体伸縮の説明図
【図５】カートリッジと筐体の接合面の説明図
【図６】ディスク装着時の内部機構を説明するための説明図
【符号の説明】
【００３６】
１,２１,２３,３１,３４,４１,４３    筐体
２    カートリッジ挿入部
３    液晶パネル
２２    ８cm径ディスクカートリッジ
２４    １２cm径ディスクカートリッジ
３２,３５    ディスクの回転軸
３３,４２    ８cm径ディスク占有位置
３５,４５    １２cm径ディスク占有位置
５１    筐体表面部
５２    筐体裏面部
５３    ８cm径ディスクカートリッジ
５４    １２cm径ディスクカートリッジ
３７    光ヘッド支柱
３８    回転軸支柱
３９    光ヘッド
【図１】
2005149631.tif 000003
【図２】
2005149631.tif 000004
【図３】
2005149631.tif 000005
【図４】
2005149631.tif 000006
【図５】
2005149631.tif 000007
【図６】
2005149631.tif 000008